(57)【要約】【課題】  露光条件の異なる複数の撮影モードを備えたレンズ付きフイルムユニットにおいて、モード切替スイッチの操作忘れを防止する。【解決手段】  モード切替スイッチ１４は、巻き上げノブ１２の上側に隣接して設けられている。モード切替スイッチ１４を回動させると、それに連動して切替部材２５が揺動し、シャッタ速度、絞り、及びストロボのＯＮ／ＯＦＦを切り替える。巻き上げノブ１２は、レンズ付きフイルムユニットの背面に設けられており、かつレンズ付きフイルムユニットで撮影を行う前に必ず操作される。そのため、この巻き上げノブ１２の周囲は比較的撮影者の目にも入りやすく、モード切替スイッチ１４の操作忘れを防止することができる。【選択図】        図５
2006078997.tif 000002
【特許請求の範囲】
【請求項１】
露光条件の異なる複数の撮影モードを備えたレンズ付きフイルムユニットにおいて、
前記撮影モードの切り替えを行うモード切替操作手段を、装填された写真フイルムの巻き上げ操作を行う巻き上げノブに隣接して設けたことを特徴とするレンズ付きフイルムユニット。
【請求項２】
前記モード切替操作手段は、前記巻き上げノブの上側に隣接していることを特徴とする請求項１記載のレンズ付きフイルムユニット。
【請求項３】
前記モード切替操作手段は、前記巻き上げノブの下側に隣接していることを特徴とする請求項１記載のレンズ付きフイルムユニット。
【請求項４】
前記モード切替操作手段は、前記複数の撮影モードのそれぞれに対応する複数の操作位置を有し、これらの各操作位置で保持されることを特徴とする請求項１から３のいずれか１項に記載のレンズ付きフイルムユニット。
【請求項５】
前記モード切替操作手段は、前記複数の撮影モードのそれぞれに対応する複数の操作位置を有し、いずれかの操作位置に操作された後、基準となる操作位置に戻ることを特徴とする請求項１から３のいずれか１項に記載のレンズ付きフイルムユニット。
【請求項６】
前記写真フイルムのフイルム感度は、ＩＳＯ１６００以上であることを特徴とする請求項１から５のいずれか１項に記載のレンズ付きフイルムユニット。
【請求項７】
前記巻き上げノブ、及びこれに隣接する前記モード切替操作手段は、背面側に設けられていることを特徴とする請求項１から６のいずれか１項に記載のレンズ付きフイルムユニット。
【発明の詳細な説明】
【技術分野】
【０００１】
本発明は、露光条件の異なる複数の撮影モードを備えたレンズ付きフイルムユニットに関する。
【背景技術】
【０００２】
未露光の写真フイルムが予め装填された１回使用型の簡易カメラであるレンズ付きフイルムユニットが知られている。このレンズ付きフイルムユニットは、シャッタ機構やフイルム巻上げ機構などの撮影機構が簡略化されて安価であることや、撮影操作が簡単であることなどを特徴としており、手軽に利用できることから一般に広く普及している。
【０００３】
レンズ付きフイルムユニットでは、その普及にともなうようにして、例えば、夜間用、接近用、望遠用、連続撮影用など、様々な撮影シーンに対応した複数の商品が販売されてきた。さらに近年では、本出願人により製造・販売されている「Ｎｉｇｈｔ＆Ｄａｙ（商品名）」などで知られるように、露光条件の異なる複数の撮影モードを備えたモード切替型のレンズ付きフイルムユニットも登場している。
【０００４】
撮影モードの切り替えは、モード切替スイッチと、このモード切替スイッチに連動してシャッタ速度や絞り値などを切り替えるモード切替機構とによって行われる。シャッタ速度と絞り値とをそれぞれ決めるシャッタ羽根と絞りは、当然ながら撮影レンズのすぐ後方に配置されているので、これらを切り替えるモード切替機構も、その近辺である前面側に設けられている。また、レンズ付きフイルムユニットの背面側には、写真フイルムが装填されており、モード切替機構との連動が困難となるため、モード切替スイッチは、前面側から露呈しているのが一般的である。
【発明の開示】
【発明が解決しようとする課題】
【０００５】
しかしながら、モード切替スイッチが前面側に設けられていると、撮影者の目に付きにくく、特に急いで撮影を行おうとした場合などには、このモード切替スイッチの操作を忘れてしまい、適切な露光条件での撮影が行われずに大切な撮影シーンを逃がしてしまうといった問題があった。
【０００６】
本発明は、上記課題を鑑みてなされたものであって、モード切替スイッチの操作忘れを防止したレンズ付きフイルムユニットを提供することを目的とする。
【課題を解決するための手段】
【０００７】
上記課題を解決するため、本発明のレンズ付きフイルムユニットは、露光条件の異なる複数の撮影モードの切り替えを行うモード切替操作手段を、装填された写真フイルムの巻き上げ操作を行う巻き上げノブに隣接して設けたことを特徴とする。
【０００８】
なお、前記モード切替操作手段は、前記巻き上げノブの上側、もしくは下側に隣接していることが好ましい。
【０００９】
また、前記モード切替操作手段は、前記複数の撮影モードのそれぞれに対応する複数の操作位置を有し、これらの各操作位置で保持されることが好ましい。
【００１０】
なお、前記モード切替操作手段は、いずれかの操作位置に操作された後、基準となる操作位置に戻る構成としてもよい。
【００１１】
また、前記写真フイルムのフイルム感度は、ＩＳＯ１６００以上であることが好ましい。
【００１２】
さらに、前記巻き上げノブ、及びこれに隣接する前記モード切替操作手段は、背面側に設けられていることが好ましい。
【発明の効果】
【００１３】
本発明のレンズ付きフイルムユニットによれば、露光条件の異なる複数の撮影モードを切り替えるモード切替操作手段を、撮影者が撮影を行う前に必ず操作する巻き上げノブに隣接して設けたので、モード切替操作手段が撮影者の目に入りやすくなり、このモード切替操作手段の操作忘れを防止することができる。
【００１４】
また、モード切替操作手段を巻き上げノブの上側、もしくは下側に隣接させることにより、モード切替操作手段と巻き上げノブとの操作を、片手で容易に行うことができるので、レンズ付フイルムユニットの操作性の向上をも図ることができる。
【発明を実施するための最良の形態】
【００１５】
図１、及び図２に本発明を適用したレンズ付きフイルムユニットの外観形状を示す。なお、図１は前面方向から見た斜視図であり、図２は背面方向から見た平面図である。レンズ付きフイルムユニット２は、露光条件の異なる３種類の撮影モードを備えており、各種撮影機能が組み込まれたユニット本体３と、このユニット本体３の製造時に装填されたフイルムパトローネと、ユニット本体３の外周に巻き付けられるようにして貼付されるラベル４とからなる。なお、ラベル４には、ユニット本体３の各部を露呈させるための開口が形成されている。
【００１６】
ユニット本体３の前面には、撮影レンズ５、ファインダ６、ストロボ発光部７などが設けられている。ユニット本体３の上面には、シャッタボタン９、カウンタ表示窓１０、シグナル用開口１１などが設けられている。また、ユニット本体３の背面からは、撮影後のフイルム巻き上げに用いられる巻き上げノブ１２の一部が露呈しており、この巻き上げノブ１２の上側には、撮影モードの切り替えを行うモード切替操作手段としてのモード切替スイッチ１４が隣接して設けられている。
【００１７】
モード切替スイッチ１４は、ユニット本体３に回動自在に保持されている。モード切替スイッチ１４には、現在どの撮影モードにされているかを指し示すための突起１４ａが形成されており、図３（ａ）に示すように、この突起１４ａが左端に位置する第１操作位置と、図３（ｂ）に示す略中央に位置する第２操作位置と、図３（ｃ）に示す右端に位置する第３操作位置との間で移動する。また、ユニット本体３の背面には、各操作位置にあることを示す指標が印されている。なお、本実施形態では、この指標を第１操作位置から順にＡ、Ｂ、Ｃのアルファベットで概略的に示しているが、これに限ることなく、例えば、各撮影モードの名称を直接印してもよいし、絵柄などを印すようにしてもよい。
【００１８】
レンズ付きフイルムユニット２は、モード切替スイッチ１４が第１操作位置にある際に、ストロボＯＦＦ及び小絞り及び高速シャッタの日中撮影モードとなる。また、モード切替スイッチ１４が第２操作位置にある際には、ストロボＯＮ及び小絞り及び高速シャッタの日中シンクロ撮影モードとなる。この日中シンクロ撮影モードでは、図４に示すようにシグナル用開口１１からシグナル部材１７が突出する。このシグナル部材１７はライトガイドであり、ストロボ充電の完了時に発光する発光素子の光をユニット本体３の外にガイドして撮影準備が完了したことを知らせる。さらにモード切替スイッチ１４が第３操作位置にある際には、ストロボＯＮ及び大絞り及び低速シャッタの夜間シンクロ撮影モードとなる。
【００１９】
図５は、ユニット本体３の構成を示す分解斜視図である。ユニット本体３は、１３５タイプのフイルムパトローネ２２が装填される本体基部２３と、この本体基部２３の前面側に取り付けられるストロボユニット２４と、撮影モードの切り替えを行う略Ｌ字状の切替部材２５と、本体基部２３の前面側及び背面側に取り付けられる前カバー２６及び後カバー２７とからなる。なお、フイルムパトローネ２２は、１３５タイプに限ることなく、ＩＸ２４０などの他のタイプとしてもよい。
【００２０】
フイルムパトローネ２２は、パトローネ２２ａと、写真フイルム２２ｂとからなり、前述のように製造時に装填される。写真フイルム２２ｂとしては、例えば、フイルム感度がＩＳＯ１６００のものが用いられている。
【００２１】
ストロボユニット２４は、各種電気部品が取り付けられてストロボ回路が形成されたプリント基板２９と、放電管やリフレクタ、拡散板などからなるストロボ発光部７とから構成されている。また、プリント基板２９には、シャッタレリーズに連動してオンとなりストロボ発光を行わせるシンクロスイッチ３０と、電池３２をストロボ回路に接続する電池切片３３などが取り付けられている。
【００２２】
本体基部２３の前面中央には、遮光筒３５が設けられている。この遮光筒３５の周囲には、シャッタチャージ機構、シャッタレリーズ機構、フイルム巻き上げ機構、フイルム巻き止め機構、フイルムカウント機構、絞り切替機構、シャッタ速度切替機構、撮影光学系、ファインダ光学系などが組み込まれている。
【００２３】
図６は、遮光筒３５の周囲に組み込まれたシャッタレリーズ機構、絞り切替機構、シャッタ速度切替機構、撮影光学系の構成を示す分解斜視図である。遮光筒３５の前面には、矩形状の露光開口３７が形成されている。遮光筒３５の側方には、シャッタ羽根３８を揺動自在に支持するピン３９と、バネ４０の一端が掛けられるピン４１とが設けられている。
【００２４】
シャッタレリーズ機構を構成するシャッタ羽根３８は、ピン３９に挿通される穴４３ａが形成されたベース部４３と、露光開口３７の前方に配置されて該露光開口３７の開閉を行う開閉部４４と、ベース部４３と開閉部４４とを接続する連結部４５とからなる。ベース部４３には、バネ４０の他端が掛けられるピン４３ｂと、シャッタ駆動レバー４７によって蹴飛ばされる突出部４３ｃと、ストロボユニット２４のシンクロスイッチ３０を動作させるシンクロ突起４３ｄとが設けられている。シャッタ羽根３８は、バネ４０に付勢されて露光開口３７を塞ぐ閉じ位置に保持されている。
【００２５】
シャッタ駆動レバー４７は、シャッタレリーズ機構を構成する部品の一つであり、シャッタチャージ機構によって図中時計方向のチャージ位置に回動される。そして、シャッタレリーズ時に図中反時計方向のレリーズ位置に向けて回動し、その際にシャッタ羽根３８の突出部４３ｃを蹴飛ばす。シャッタ駆動レバー４７に蹴飛ばされたシャッタ羽根３８は、バネ４０の付勢に抗して図中時計方向に向けて回動する。そして、露光開口３７を全開させる全開位置（図８（ａ）参照）を経て、レンズホルダ５６の内面に設けられたストッパピン５６ａに当接する移動端位置（図８（ｂ）参照）に達し、その後はバネ４０の付勢によって閉じ位置に復帰する。
【００２６】
また、シャッタ羽根３８は、移動端位置への回動時に、シンクロ突起４３ｄでシンクロスイッチ３０の上部金属接片３０ａを押圧し、下部金属接片３０ｂに接触させる。一対の金属接片３０ａ、３０ｂが接触してシンクロスイッチ３０がオンすると、ストロボユニット２４のストロボ発光部７においてストロボ発光が行われる。
【００２７】
レンズホルダ５６の上部には、ストップレバー４９を回動自在に支持するピン５０が形成されている。ストップレバー４９は、ピン５０に支持されるボス５１と、このボス５１の側面から突出した２本のアーム５２、５３と、一方のアーム５２の先端に形成されたパッド５４とからなる。
【００２８】
このストップレバー４９は、図７（ａ）に示すように、パッド５４がシンクロスイッチ３０の下部金属接片３０ｂの自由端側の下方に挿入されて当接する高速シャッタ位置と、図７（ｂ）に示すように、パッド５４を下部金属接片３０ｂの下方から退避させた低速シャッタ位置との間で回動される。また、ピン５０には、一端がレンズホルダ５６に保持され、他端がストップレバー４９に保持されるねじりコイルバネ５５が挿通されている。ストップレバー４９は、このねじりコイルバネ５５によって通常は高速シャッタ位置側に付勢されている。
【００２９】
図８（ａ）に示すように、ストップレバー４９のパッド５４が高速シャッタ位置にある際にシャッタレリーズが行われると、シャッタ羽根３８のシンクロ突起４３ｄに押圧されたシンクロスイッチ３０の上部金属接片３０ａが下部金属接片３０ｂに接触し、ストロボ発光が行われる。下部金属接片３０ｂはパッド５４に当接するため、シャッタ羽根３８は、移動端位置への途中、すなわち全開位置で回動が阻止される。これにより、短時間でシャッタ羽根３８が閉じ位置に復帰する。この高速シャッタでは、例えば、１／１２０秒のシャッタ速度を得ることができる。
【００３０】
また、シンクロスイッチ３０は、シンクロ突起４３ｄとパッド５４との間でオンされるので、確実に露光開口３７が全開のときにストロボ発光を行うことができ、シンクロ撮影時の露出を適正に行うことができる。
【００３１】
一方、図８（ｂ）に示すように、ストップレバー４９のパッド５４が低速シャッタ位置にある際には、シャッタ羽根３８の回動が大きくなり、ストッパピン５６ａと当接する移動端位置まで回動する。これは、下部金属接片３０ｂの弾性変形が自由になるためである。その結果、シャッタ羽根３８が閉じ位置に復帰するまでの時間が長くなって、シャッタ速度が遅くなる。この低速シャッタでは、例えば、１／４５秒のシャッタ速度を得ることができる。
【００３２】
図６に示すように、遮光筒３５の前方には、略板状のレンズホルダ５６が取り付けられる。レンズホルダ５６の前面中央には、筒形状の鏡筒５７が形成されている。鏡筒５７内には、露光開口５８が形成されており、鏡筒５７の側面には切り欠き５９が形成されている。鏡筒５７内には、撮影レンズ５を構成する第１レンズ６０と、第２レンズ６１とが収納される。これら第１レンズ６０と第２レンズ６１との間には、絞り切替機構を構成する大絞り板６２と、絞り切替板６３と、この絞り切替板６３の挿入スペースを確保するスペーサ６４とが設けられている。大絞り板６２は、円形の薄板からなり、中央に大径の絞り開口６２ａが形成されている。
【００３３】
レンズホルダ５６の前面には、鏡筒５７に収められた撮影レンズ５などの部品と、鏡筒５７の外周に取り付けられた切替リング６８とが外れないように押さえるレンズ押さえ板６５が取り付けられる。
【００３４】
絞り切替板６３は、略くの字型の薄板からなり、一端に大絞り開口６２ａを塞ぐ大きさの小絞り部６３ａが設けられている。この小絞り部６３ａには、小径の絞り開口６３ｂが形成されている。絞り切替板６３の他端には、穴６３ｃと屈曲した長穴６３ｄとが形成されている。穴６３ｃは、レンズホルダ５６の鏡筒５７の近傍に形成されたピン６６に挿通され、絞り切替板６３を揺動自在とする。
【００３５】
絞り切替板６３は、小絞り開口６３ｂを撮影光軸上に配置する小絞り位置と、小絞り部６３ａを切り欠き５９から鏡筒５７の外に退避させ、大絞り開口６２ａを露呈させる大絞り位置との間で回動される。なお、絞り切替板６３は、図示を省略したバネによって、小絞り位置側に付勢されている。
【００３６】
鏡筒５７の外周には、切替リング６８が回動自在に嵌入される。切替リング６８には、バネ７０の一端が掛けられるバネ掛けピン６８ａと、絞り切替板６３の長穴６３ｄに挿入されるリンクピン６８ｂと、ストップレバー４９のアーム５３を押圧する押圧ピン６８ｃと、側方に突出して切替部材２５によって支持される支持ピン６８ｄとが設けられている。
【００３７】
バネ７０の他端は、レンズホルダ５６の前面下部に形成されたピン７１に掛けられ、切替リング６８を図中反時計方向に付勢する。なお、バネ７０によって付勢された切替リング６８は、支持ピン６８を介して切替部材２５によって所定の位置に支持される。
【００３８】
略扇形に成型されたモード切替スイッチ１４の端部には、切り欠き１４ｂが形成されている。また、モード切替スイッチ１４の上面には、同心円状に配置された略半球状の窪み１４ｃ、１４ｄ、１４ｅが設けられている。本体基部２３の支持板２３ａ（図５参照）には、これらの窪み１４ｃ、１４ｄ、１４ｅに嵌合する略半球状の隆起部（図示は省略）が設けられており、この隆起部と各窪み１４ｃ、１４ｄ、１４ｅとの嵌合によって、モード切替スイッチ１４が各操作位置（図３参照）で保持される。
【００３９】
略Ｌ字状の切替部材２５の一端には、モード切替スイッチ１４の切り欠き１４ｂに入り込む連結ピン２５ａが設けられている。また、切替部材２５の屈曲部には、軸２５ｂが設けられており、本体基部２３と前カバー２６とによって揺動自在に支持される。切替部材２５の他端は、レンズホルダ５６とレンズ押さえ板６５との間に設けられた隙間から入り込んで切替リング６８の支持ピン６８ｄを支持し、モード切替スイッチ１４の移動に連動して切替リング６８の回転位置を変化させる。
【００４０】
また、切替部材２５と本体基部２３との間には、ストロボユニット２４の充電スイッチである金属接片３１が設けられている（図５参照）。切替部材２５の金属接片３１と接触する位置には、扇形に張り出した突出部２５ｃが形成されており、日中シンクロ撮影モードと夜間シンクロ撮影モードとの際に、金属接片３１を押圧する。
【００４１】
図９は、各撮影モードにおける切替リング６８の状態を示している。モード切替スイッチ１４が第１操作位置にされると、図９（ａ）に示すように、切替部材２５が上方に傾いて切替リング６８の支持ピン６８ｄを押し上げる。これとともに、突出部２５ｃが金属接片３１と当接する位置から外れて、この金属接片３１をオフにする。切替リング６８の押圧ピン６８ｃはストップレバー４９から離れる方向に移動し、ストップレバー４９は、ねじりコイルバネ５５の付勢によって高速シャッタ位置に保持される。また、絞り切替板６３は、リンクピン６８ｂによって小絞り位置に保持される。これにより、レンズ付きフイルムユニット２が、ストロボＯＦＦ及び小絞り及び高速シャッタの日中撮影モードに設定される。
【００４２】
次に、モード切替スイッチ１４が第２操作位置にされると、図９（ｂ）に示すように、切替部材２５は略水平となり、突出部２５ｃが金属接片３１を押圧する（図５に示す状態）。切替リング６８は、バネ７０の付勢によって切替部材２５と支持ピン６８ｄとが当接するまで図中反時計方向に回動する。押圧ピン６８ｃはストップレバー４９のアーム５３と接触する位置まで移動し、リンクピン６８ｂは長穴６３ｄの屈曲部付近まで移動するが、ストップレバー４９と絞り切替板６３は、それぞれ高速シャッタ位置と小絞り位置とに引き続き保持される。これにより、レンズ付きフイルムユニット２は、ストロボＯＮ及び小絞り及び高速シャッタの日中シンクロ撮影モードに設定される。
【００４３】
さらに、モード切替スイッチ１４が第３操作位置にされると、図９（ｃ）に示すように、切替部材２５が下方に傾く。突出部２５ｃは引き続き金属接片３１を押圧し、切替リング６８はさらに反時計方向に回動する。ストップレバー４９のアーム５３と接触する位置まで移動していた押圧ピン６８ｃは、このアーム５３を押圧してストップレバー４９を低速シャッタ位置に移動させる。リンクピン６８ｂは、屈曲した長穴６３ｄに沿って絞り切替板６３を回動させ、光軸上から退避した大絞り位置に移動させる。これにより、レンズ付きフイルムユニット２は、ストロボＯＮ及び大絞り及び低速シャッタの夜間シンクロ撮影モードに設定される。
【００４４】
このように、本実施形態のレンズ付きフイルムユニット２によれば、巻き上げノブ１２の上側に隣接してユニット本体３の背面に設けられたモード切替スイッチ１４によって、撮影モードの切り替え操作を行うことができる。巻き上げノブ１２は、ユニット本体３の背面に設けられており、かつレンズ付きフイルムユニット２で撮影を行う前に必ず操作されることから、この巻き上げノブ１２の周囲は比較的撮影者の目にも入りやすい。そのため、巻き上げノブ１２に隣接してモード切替スイッチ１４を配置することにより、モード切替スイッチ１４の操作忘れを防止することができる。
【００４５】
また、モード切替スイッチ１４を巻き上げノブ１２の上側に隣接させたことにより、巻き上げノブ１２のフイルム巻き上げ操作と、モード切替スイッチ１４の撮影モード切り替え操作とを右手だけで簡単に素早く操作でき、レンズ付きフイルムユニット２の操作性の向上をも図ることができる。
【００４６】
なお、上記実施形態では、モード切替スイッチ１４を巻き上げノブ１２の上側に隣接させているが、これに限ることなく、例えば、下側に隣接させてもよいし、さらには左右方向に隣接させるようにしてもよい。
【００４７】
また、上記実施形態では、モード切替スイッチ１４が各操作位置で保持される構成としているが、例えば、図１０に示すように、切替部材２５の軸２５ｂにバネ７０よりも強い付勢力を有するねじりコイルバネ８０を挿通し、切替部材２５を介してモード切替スイッチ１４を第１操作位置（請求項記載の基準となる操作位置に相当）側に付勢するようにしてもよい。この構成によれば、モード切替スイッチ１４を第２操作位置や第３操作位置に手動で操作した後、手を離すと第１操作位置に戻り、暗い撮影シーンではモード切替スイッチ１４の操作を撮影毎に行う必要があるので、モード切替スイッチ１４の操作を撮影者に促して、モード切替スイッチ１４の操作忘れを、さらに防止する効果が期待できる。
【００４８】
なお、モード切替スイッチ１４を付勢する基準となる操作位置は、第１操作位置に限定されるものではない。
【図面の簡単な説明】
【００４９】
【図１】レンズ付きフイルムユニットの外観形状を示す前面方向から見た斜視図である。
【図２】レンズ付きフイルムユニットの外観形状を示す背面方向から見た平面図である。
【図３】モード切替スイッチの各操作位置の状態を示す部分平面図である。
【図４】各シンクロ撮影モードにおけるレンズ付きフイルムユニットの状態を示す外観斜視図である。
【図５】ユニット本体の構成を示す分解斜視図である。
【図６】絞り及びシャッタ速度切替機構の構成を示す分解斜視図である。
【図７】ストップレバーの各位置での状態を示す説明図である。
【図８】シャッタレリーズの状態を示す説明図である。
【図９】各撮影モードにおける絞り及びシャッタ速度切替機構の状態を示す説明図である。
【図１０】レンズ付きフイルムユニットの他の実施形態を説明する斜視図である。
【符号の説明】
【００５０】
２  レンズ付きフイルムユニット
１２  巻き上げノブ
１４  モード切替スイッチ（モード切替操作手段）
２２ｂ  写真フイルム
【図１】
2006078997.tif 000003
【図２】
2006078997.tif 000004
【図３】
2006078997.tif 000005
【図４】
2006078997.tif 000006
【図５】
2006078997.tif 000007
【図６】
2006078997.tif 000008
【図７】
2006078997.tif 000009
【図８】
2006078997.tif 000010
【図９】
2006078997.tif 000011
【図１０】
2006078997.tif 000012